(57)【特許請求の範囲】
【請求項１】
試料に光を照射する照射手段と、
試料上において、少なくとも前記照射手段により光照射される照射点を励起してエネルギー状態を変調させ、当該照射点のおける反射光の反射光強度パターンをＳ／Ｎ比の高い反射光強度パターンに変化させる変調手段と、
前記照射点で反射された反射光を検出する検出手段と、
前記検出手段の検出信号を用いて、反射光の反射光強度パターンから応力変化に伴う波長シフト量Δλを求め、当該波長シフト量Δλから試料に印加される応力値を求める処理手段とを備える、応力測定装置。
【請求項２】
前記照射手段は少なくとも２つの異なる波長λ１とλ２を含む照射光を照射し、
前記処理手段は波長λ１と波長λ２間の波長差（λ１−λ２）と、波長差による反射光強度の差Ｒ（λ１，λ２）と、波長シフト量Δλに対する反射光強度の差Ｒ（Δλ）から、
（λ１−λ２）・Ｒ（Δλ）／Ｒ（λ１，λ２）
の演算によって波長シフト量Δλを求め、
予め求めておいた波長シフト量Δλと応力値の関係と前記求めた波長シフト量Δλとから応力値を求める、請求項１に記載の応力測定装置。
【発明の詳細な説明】
【０００１】
【発明の属する技術分野】
本発明は、応力測定装置に関し、特に、半導体プロセスのデバイス検査に好適で、膜応力の測定を行う応力測定装置に関する。
【０００２】
【従来の技術】
半導体プロセスのデバイス製作において、成膜で形成された薄膜に応力が発生する場合がある。この薄膜に発生する応力は、薄膜自体の特性に影響を与えるだけでなく、シリコン基板等の薄膜の周囲部分にも応力を発生させ、デバイス全体に影響が及ぶ場合がある。
【０００３】
半導体デバイスにおいて、応力測定を必要とする構造としては、たとえばＬＯＣＯＳ構造やトレンチ構造のエッジ部分がある。このエッジ部分は応力集中が発生し易い構造であるため、応力に基づく影響が発生しやすい。微細化が進むにつれて、この応力は増大する傾向があり、今後更に問題となってくる。
【０００４】
一般に、微小構造での応力を測定する方法として、Ｘ線回折測定や形状測定やラマン測定等が知られている。特に、半導体デバイスの微小部に発生する応力を測定するには、比較的空間分解能が高い顕微ラマンが使用されることが多い。
【０００５】
【発明が解決しようとする課題】
しかし、半導体デバイスの微細化に伴い、従来の方法では実際のデバイスの評価が困難になってきており、より空間分解能が高い応力測定装置が求められている。
そこで、本発明は微小構造の応力を、高い空間分解能で測定することができる応力測定装置を提供することを目的とする。
【０００６】
【課題を解決するための手段】
薄膜等の試料に光を照射して得られる反射光は、その波長域で試料の電子状態を反映する特徴的な分光パターンを備えている。本発明の出願人は、このパターン変化が、試料の照射点における応力に応じてシフトすることを確認した。本発明は、この応力によりシフトするパターン変化を検出することによって、試料の応力を測定するものである。
【０００７】
本発明の応力測定装置の第１の態様は、試料に光を照射する照射手段と、反射光強度パターンから応力値を求める処理手段とを備える構成とする。図１は本発明の応力測定装置の第１の形態を説明するための概略図である。図１において、応力測定装置は、照射手段１から試料２の照射点Ｐに光を照射し、処理手段３は該照射点Ｐで反射した反射光を検出器４で検出し、演算装置５において検出した反射強度パターンに基づいて応力値を演算する。
【０００８】
照射手段は、試料上の測定点に光を照射する手段であり、照射光は照射点において位置反射される。この反射光は、照射点における試料のバンド構造に応じた反射光強度パターンを備える。本出願人は、この反射光強度パターンは照射点で発生している応力に応じてシフトするとともに、波長シフト量と応力値との間には一定の関係があることを見い出し、この反射光強度パターンから波長シフト量を求め、波長シフトから応力値を求める。図４（ａ）は反射光強度パターンの波長シフトを説明するための概略図である。なお、図４（ａ）では反射光強度パターンを模式的に表している。波長に対する反射光強度パターンは、応力の有無に応じて例えば実線に示すパターンから破線に示すパターンに、波長がシフトする。この波長シフトのシフト量は、試料部位での応力値に対応する。
【０００９】
処理手段は、測定点における反射光強度パターンを測定して、この反射光強度から波長シフト量を求め、上記関係を用いることによって波長シフト量から応力値あるいは応力対応値を求める。
【００１０】
反射光強度パターンは反射光強度の波長変化であり、照射光側、又は反射光側の波長を変更し、この波長に対する反射光の強度を受光手段で検出することによって求めることができる。
【００１１】
波長変更を行う第１の態様は照射光側で波長変更を行うものであり、モノクロメータで分光することによって波長変更を行い、分光された単色光を試料部位に照射する。このモノクロメータを制御することによって、照射する波長を変更することができる。
【００１２】
波長変更を行う第２の態様は反射光側で波長変更を行うものであり、分光されない光を試料部位に照射し、反射光をモノクロメータで分光することによって波長変更を行う。このモノクロメータを制御することによって、検出する反射光の波長を変更することができる。
また、他の態様として、照射光側及び反射光側に偏光手段を設ける構成とし、検出信号のＳ／Ｎ比を高めることができる。
【００１３】
また、本発明の応力測定装置の第２の形態は、試料に光を照射する照射手段と、試料上の少なくとも照射部のエネルギー状態を変調する変調手段と、反射光強度パターンから応力値を求める処理手段とを備える構成とすることができる。第２の形態の構成は、前記第１の形態の構成に加えて、試料上の少なくとも照射部のエネルギー状態を変調する変調手段を備える構成である。図２に示す応力測定装置の第２の形態は、照射手段１から試料２の照射点Ｐに光を照射するとともに、変調手段６は該照射点Ｐのエネルギー状態を変調し、処理手段３は該照射点Ｐで反射した反射光を検出器４で検出し、演算装置５において検出した反射強度パターンに基づいて応力値を演算する。
【００１４】
変調手段は、照射部に外部から刺激を加えることによって、試料部位を励起してエネルギー状態を変化させ、これによって反射強度パターンを変化させる。これによって検出される反射スペクトルは変調による微分信号となり、バックグラウンド信号の影響を除去することができる。図４（ｂ）は反射スペクトルの波長シフトを説明するための概略図である。なお、図４（ｂ）では反射スペクトルを模式的に表している。反射スペクトルは、応力の有無に応じて例えば実線に示すパターンから破線に示すパターンに、波長がシフトする。この波長シフトのシフト量は、試料部位での応力値に対応する。バンド構造の臨界点では、該構造を反映した微細構造を表す信号が検出される。反射スペクトルの検出は、変調された反射光を変調手段の変調周期と同期させて検出することによって行うことができる。
【００１５】
変調手段の第１の態様は、電子線を断続的にオンオフすることにより変調し、この変調電子線を照射するものである。この変調した電子線を試料部位に照射することによって試料部位でのエネルギー状態が変化し、該部位で反射する反射光強度が変化する。
【００１６】
変調手段の第２の態様は、イオンビームを断続的にオンオフすることにより変調し、この変調イオンビームを照射するものである。この変調したイオンビームを試料部位に照射することによって試料部位でのエネルギー状態が変化し、該部位で反射する光の反射光強度が変化する。
【００１７】
変調手段の第３の態様は、電圧制御によって試料部位に印加する電界を変調するものである。試料部位に印加する電界を変調することによって試料部位でのエネルギー状態が変化し、該部位で反射する光の反射光強度が変化する。
【００１８】
変調手段の第４の態様は、試料部位に熱を変調しながら付与するものである。試料部位に付与する熱を変調することによって試料部位でのエネルギー状態が変化し、該部位で反射する光の反射光強度が変化する。
【００１９】
変調手段の第５の態様は、試料部位に音波を変調しながら付与するものである。試料部位に付与する音波を変調することによって試料部位でのエネルギー状態が変化し、該部位で反射する光の反射光強度が変化する。
【００２０】
したがって、前記変調手段を設けることによって、Ｓ／Ｎ比の高い反射光強度パターンの検出信号を求めることができる。
さらに、本発明の応力測定装置の第３の形態の構成は、前記第１，２の形態において、照射手段は少なくとも２つの複数の異なる波長を含む照射光を照射し、処理手段は波長間での波長差と反射光強度差に基づいて応力値を求める構成とするものである。図３に示す応力測定装置の第３の形態は、照射手段１から試料２の照射点Ｐに複数の異なる波長の光を照射するとともに、変調手段６は該照射点Ｐのエネルギー状態を変調し、処理手段３は該照射点Ｐで反射した反射光を検出器４で検出し、演算装置５において検出した波長毎の反射強度に基づいて応力値を演算する。
【００２１】
第３の形態の構成において、波長シフトと反射光強度変化と応力との関係をあらかじめ求めておき、異なる波長で求めた反射光強度の変化とその波長差と前記関係から応力の絶対値を求めることができる。図４（ｃ）は波長毎の反射光強度及び波長シフトを説明するための概略図である。なお、図４（ｃ）では反射スペクトルを模式的に表している。反射スペクトルは、応力の有無に応じて例えば実線に示すパターンから破線に示すパターンに波長がシフトする。
【００２２】
この反射スペクトルにおいて、異なる波長λ１，λ２の光で測定した反射光の強度を、波長シフト前の波長λ１，λ２による値をＲ１１，Ｒ１２とし、波長シフト後の波長λ１，λ２による値をＲ２１，Ｒ２２とすると、波長シフトΔλは、概略
Δλ＝（λ１−λ２）・（Ｒ１１−Ｒ２１）／（Ｒ２２−Ｒ２１）
によって求めることができる。この波長シフトΔλと応力値との関係をあらかじめ求めておくことによって、応力値を求めることができる。
【００２３】
また、第３の形態は、１つの試料部位において波長λ１，λ２の２つの波長での測定で求めることができる。したがって、試料部位に照射する波長の個数を減少させることができ、短時間で応力測定を行うことができる。
【００２４】
この第３の形態の構成では、複数の波長から特定の波長の同定を行う。波長を同定する第１の態様は、照射光側で波長同定を行うものであり、照射側に複数の波長を照射する複数光源を備え、該光源を切り替えることによって波長同定を行う。
【００２５】
波長を同定する第２の態様は、反射光側で波長同定を行うものであり、試料部位に入射する複数光から得られる反射光を、フィルターあるいは回折格子で分離して波長同定を行う。
【００２６】
波長を同定する第３の態様は、照射光側及び反射光側で波長同定を行うものであり、試料部位に入射光を時分割で入射し、反射光を前記時分割に同期することによって波長同定を行う。
【００２７】
また、波長を同定する第４の態様は、照射光側及び反射光側で波長同定を行うものであり、複数の入射光を同一試料部位に異なる入射角度で照射し、該反射光を異なる反射角度で検出することによって波長同定を行う。
さらに、本発明の応力測定装置の第１，２，３の各形態において、照射光と反射光と電子線を同一軸上とする構成とすることができる。
【００２８】
本発明によれば、照射光のスポット径を小さくしたり、変調手段による変調領域を絞ることによって、微小部分の応力測定が可能となる。
また、本発明の測定装置は、薄膜等の試料における分光パターンの変化が応力によって生ずるものとし、この応力の測定を行うものであるが、試料の分光パターンは応力に限らず結晶欠陥を含む結晶特性によっても変化する。したがって、本発明の測定装置は、結晶特性等の試料の分光パターンを変化させる試料の内部状態の測定に適用することができる。
【００２９】
【発明の実施の形態】
以下、本発明の応力測定装置の第１，２，３の実施の形態を図を参照しながら詳細に説明する。図５〜図１０は本発明の第１，２の形態を説明するための図であり、図１１〜図１６は本発明の第３の形態を説明するための図である。
【００３０】
はじめに、本発明の第１，２の形態について説明する。なお、第１の形態は第２の形態から変調手段を除いた構成であり、反射光強度パターンを反射光強度で測定するか、反射光強度の微分値で測定するかの点で相違するが、ほぼ同様に構成とすることができるため、ここでは、第２の形態を用いて説明する。
【００３１】
図５は本発明の第１の構成例を説明するための概略ブロック図であり、第１，２の形態に対応し、照射光側のモノクロメータで分光することによって波長変更を行う構成例である。図５において、照射光側は、複数の波長を有する光源１１の光をモノクロメータ１２によって単色光とし、光ファイバーやレンズ系の光学系１３を介して、ステージ７上に配置した試料２の照射点Ｐに照射する。照射点Ｐで反射した反射光はフォトダイオードやフォトマルチプライヤ等の光検出器４１で検出される。また、照射点Ｐあるいはその近傍には、電子線源６１から電子線が照射される。ブランキングユニット６２は、信号発生器６３からブランキング信号を受けて、試料の照射点Ｐに対して電子線を間欠的に照射し、照射点Ｐの電子状態を変調する。
【００３２】
光検出器４１は、変調を行わない場合には反射光の強度のみを検出する。また、変調を行う場合には、反射光の強度、及び変調による反射光の強度変化の微分値を検出する。
【００３３】
光検出器４１の検出信号は、プリアンプ５１で信号増幅した後、デジタルマルチメータ５２で反射光強度Ｒを求め、ロックインアンプ５３で反射光の強度変化の微分値ΔＲを求める。なお、ロックインアンプ５３は、信号発生器６３から信号を受けて、電子線のブランキングとの同期をとる。演算器５４は、反射光強度Ｒと微分値ΔＲを入力して反射光スペクトルを求め、波長シフト及び応力を演算する。なお、反射光スペクトルの測定における波長変更では、モノクロメータ１２を制御することによって試料２への照射光の波長を変更する。
【００３４】
また、照射光のスポット径を小さくしたり、電子線による変調領域を絞ることによって、微小部分の応力測定が可能となる。
また、変調手段として、電子線を用いる場合には、試料２を真空装置８によって真空状態としている。
【００３５】
次に、第１，２の形態において、波長シフトを求める２つの処理について、図６，７を用いて説明する。
図６は波長シフトを求める第１の処理を説明するための概略図である。この第１の方法は、試料上において、測定点毎に、分光等によって照射光の波長を変更しながら反射光の強度を測定して反射光スペクトルを求め、求めた反射光スペクトルを比較して波長シフトを求めるものである。たとえば、図６（ａ）中の点Ａと点Ｂの応力状態が異なる場合、各点で求めた反射光スペクトル間には、図６（ｂ）中の実線及び破線で示すような波長シフトΔλが生じる。この波長シフトΔλは、両測定点での応力の差に対応することになる。したがって、試料２を走査しながら、各点の反射光スペクトルを求めることによって、試料２の応力状態を求めることができる。なお、ここで求めた応力値は、相対的な値となる。
【００３６】
図７は波長シフトを求める第２の処理を説明するための概略図である。第２の方法は、特定の波長の光によって測定点での反射光強度を求め、求めた反射光強度と基準の反射光強度との差から波長シフトを推定するものである。
【００３７】
たとえば、図７（ａ）中の点Ｃにおいて波長λ０の光での反射光強度Ｒ０を求め、図７（ｂ）に示すように、基準値Ｒとの差ΔＲを求める。なお、基準値Ｒは任意の点での反射光強度とすることができる。この反射光強度の差は波長シフト量と一定の関係にあり、反射光強度の差から波長シフト量を推定することができる。例えば、図７（ｃ）において、波長シフトがΔλ１である場合には反射光強度の差はΔＲ１となり、また、波長シフトがΔλ２である場合には反射光強度の差はΔＲ２となる。したがって、反射光強度の差ΔＲを求めることによって、波長シフト量Δλを推定することができる。なお、ここで求めた応力値は、相対的な値となる。
【００３８】
以下、図８〜図１０を用いて本発明の第１，２の形態に対応する第２〜４の構成例について説明する。
図８は本発明の第２の構成例を説明するための概略ブロック図であり、反射光側のモノクロメータで分光することによって波長変更を行う構成例である。図８において、照射光側は、複数の波長を有する光源１１の光を光ファイバーやレンズ系の光学系１３を介して、ステージ７上に配置した試料２の照射点Ｐに照射する。また、検出側では、照射点Ｐで反射した反射光をモノクロメータ４２で分光し、分光波長に応じて配置されたフォトダイオードやフォトマルチプライヤ等の光検出器４１で検出する。モノクロメータ４２で分光することによって、第１の構成例と同様に、反射光スペクトルの測定における波長変更を行う。
なお、変調手段や処理手段の構成及び処理動作は、第１の構成と同様とすることができるため、ここでの説明は省略する。
【００３９】
図９は本発明の第３の構成例を説明するための概略ブロック図であり、照射光側及び反射光側に偏光板１４，４４を配置することによって特定の反射光を用いる構成例である。図９において、照射光側は、複数の波長を有する光源１１の光を光ファイバーやレンズ系の光学系１３を介し、さらに偏光板１４を通して偏光した照射光を、ステージ７上に配置した試料２の照射点Ｐに照射する。また、検出側では、照射点Ｐで反射した反射光を偏光板４４を通して特定の偏光された反射光を抽出し、フォトダイオードやフォトマルチプライヤ等の光検出器４１で検出する。なお、変調手段や処理手段の構成及び処理動作は、第１の構成と同様とすることができるため、ここでの説明は省略する。
【００４０】
図１０は本発明の第４の構成例を説明するための概略ブロック図であり、照射光，反射光，及び電子線を同一軸上とする構成例である。図１０において、照射光側は、複数の波長を有する光源１１の光をモノクロメータ１２によって単色光とし、光ファイバーやレンズ系の光学系１３及び光学系１５を介して、ステージ７上に配置した試料２の照射点Ｐに対して電子線と同軸上で照射を行う。また、検出側では、照射点Ｐで反射した電子線と同軸上の反射光を、光学系４５を介してフォトダイオードやフォトマルチプライヤ等の光検出器４１で検出する。
【００４１】
光学系１５，４５を配置することによって、照射光，反射光，及び電子線を同一軸上とする構成とすることができ、この構成とすることによって、光の照射点，光の反射点，及び電子線の照射点を試料上の測定点に集中させ、微小領域の測定を行うことができる。
【００４２】
なお、変調手段や処理手段の構成及び処理動作は、第１の構成と同様とすることができるため、ここでの説明は省略する。
次に、本発明の第３の形態について説明する。第３の形態は第１，２の形態において、照射手段から少なくとも２つの複数の異なる波長を含む照射光を照射し、処理手段において、前記波長間での波長差と反射光強度差に基づいて応力値を求めるものである。
【００４３】
図１１は本発明の第５の構成例を説明するための概略ブロック図であり、第３の形態に対応し、照射光側から波長λ１と波長λ２の波長が異なる照射光を切り換えて照射し、各波長の照射光による反射光強度を測定する構成例である。図１１において、照射光側は、波長λ１と波長λ２の光源１５、１６と、該各波長光を切り換えて照射する切り換え器１７を備え、光ファイバーやレンズ系の光学系１３を介して、ステージ７上に配置した試料２の照射点Ｐに照射する。照射点Ｐで反射した反射光はフォトダイオードやフォトマルチプライヤ等の光検出器４１で検出される。
【００４４】
変調手段による変調、及び検出信号の処理の流れは、前記した構成例とほぼ同様であり、照射手段１から試料の照射点に複数の異なる波長の光を照射するとともに、変調手段６によって該照射点のエネルギー状態を変調させ、処理手段は照射点で反射した反射光を検出器４検出し、演算装置５おいて検出した波長毎の反射強度に基づいて応力値を演算する。
【００４５】
以下、第３の形態において、波長シフトを求める処理について図１２，１３を用いて説明し、共通する部分については説明を省略する。なお、図１２は波長シフトを求める処理を説明するための概略図であり、図１３はその拡大図である。
【００４６】
第３の形態の構成において、波長シフトと反射光強度変化と応力との関係をあらかじめ求めておく。
図１２は応力がない場合の反射スペクトル（図中の実線）と応力がある場合の反射スペクトル（図中の破線）を模式的に示している。反射スペクトルは、応力の有無に応じて実線に示すパターンから破線に示すパターンに波長がシフトする。
【００４７】
この反射スペクトルにおいて、異なる波長λ１，λ２の光による反射光の強度は、波長シフト前の波長λ１，λ２ではＲ１１，Ｒ１２となり、波長シフト後の波長λ１，λ２ではＲ２１，Ｒ２２となる。ここで、応力がない場合を波長シフト前として、このときの波長λ１，λ２での反射光強度Ｒ１１，Ｒ１２をあらかじめ求めておくことができる。
【００４８】
図１３の拡大図において、図中の実線で示す応力がない場合の反射スペクトルについて波長λ１，λ２での反射光強度は、図中の丸印で示すように、Ｒ１１，Ｒ１２である。この反射スペクトルに対して波長がΔλだけシフトすると、図中の破線で示す反射スペクトルとなり、波長λ１，λ２での反射光強度は、図中の三角印で示すように、Ｒ２１，Ｒ２２である。
【００４９】
波長λ１とλ２の波長差に対して反射光強度の差は（Ｒ２２−Ｒ２１）であり、また、波長シフトΔλに対する反射光強度の差は（Ｒ１１−Ｒ２１）である関係にある。したがって、波長シフトΔλは、
Δλ＝（λ１−λ２）・（Ｒ１１−Ｒ２１）／（Ｒ２２−Ｒ２１）  …（１）によって求めることができる。ここで、Ｒ１１の値をあらかじめ求めておき、また波長シフトΔλと応力値との関係をあらかじめ求めておくことによって、応力値を求めることができる。
【００５０】
この形態では、１つの試料部位において波長λ１，λ２の２つの波長での測定で求めることができるため、試料部位に照射する波長の個数を減少させることができ、短時間で応力測定を行うことができる。
【００５１】
以下、図１４〜図１６を用いて本発明の第３の形態に対応する第６〜８の構成例について説明する。
図１４は本発明の第６の構成例を説明するための概略ブロック図であり、照射側から複数の波長の照射光を照射し、反射光側のフィルタや回折格子で特定波長のみを分離する構成例である。図１４において、照射光側は、複数の波長（波長λ１，λ２）を有する光源１１の光を光ファイバーやレンズ系の光学系１３を介して、ステージ７上に配置した試料２の照射点Ｐに照射する。また、検出側では、照射点Ｐで反射した反射光をフィルタや回折格子４６で波長分離し、フォトダイオードやフォトマルチプライヤ等の光検出器４１で検出し、前記式（１）等の関係式に基づいて波長シフト、及び応力を求める。
なお、変調手段や処理手段の構成及び処理動作は、第５の構成と同様とすることができるため、ここでの説明は省略する。
【００５２】
図１５は本発明の第７の構成例を説明するための概略ブロック図であり、照射側から複数の波長の照射光を時分割器１８で時分割して照射し、反射光側において、検出信号を前記時分割に対応して処理する構成例である。図１５において、照射光側は、複数の波長を有する光源１１の光を時分割で波長を切り換えながら光ファイバーやレンズ系の光学系１３を介して、ステージ７上に配置した試料２の照射点Ｐに照射する。また、検出側では、照射点Ｐで反射した反射光をフォトダイオードやフォトマルチプライヤ等の光検出器４１で検出し、時分割の時間に基づいて、反射光強度と照射光の波長との対応を求め、前記式（１）等の関係式に基づいて波長シフト、及び応力を求める。
なお、変調手段や処理手段の構成及び処理動作は、第５の構成と同様とすることができるため、ここでの説明は省略する。
【００５３】
図１６は本発明の第８の構成例を説明するための概略ブロック図であり、複数の入射光を同一試料部位に異なる入射角度で照射し、該反射光を異なる反射角度で検出することによって波長の同定を行う構成例である。図１６において、照射光側は、複数の波長を有する光源１１の光を、たとえば異なる位置に配置した光ファイバーやレンズ系の光学系１３ａ，１３ｂを介して、ステージ７上に配置した試料２の照射点Ｐに照射する。また、検出側では、照射点Ｐで反射した反射光を、光学系１３の各入射角度に対応する角度位置に配置したフォトダイオードやフォトマルチプライヤ等の光検出器４１ａ，４２ｂで検出し、入射角及び反射角の関係から、反射光強度と照射光の波長との対応を求め、前記式（１）等の関係式に基づいて波長シフト、及び応力を求める。
なお、変調手段や処理手段の構成及び処理動作は、第５の構成と同様とすることができるため、ここでの説明は省略する。
【００５４】
前記構成例では、変調手段として電子線を用いた例を示しているが、その他にイオンビーム、電界、光、熱、音波等の試料部位の電子エネルギー状態を変化させる物理的刺激を用いることができる。図１７〜図１９は変調手段の他の構成例を説明するための図である。
【００５５】
図１７は変調手段として電界を用いる構成例である。試料２に電界を印加する構成として、電極６４を試料部位に接近させて配置し、電源６５によって電極６４に電圧を印加して、電極６４とステージ７との間に電界を形成する。これによって、試料部位に電界を印加する。
【００５６】
図１８は変調手段として光あるいは熱を用いる構成例である。試料２に光あるいは熱を与える構成としてレーザー光源６６を用い、このレーザー光による光の刺激あるいはレーザー光による熱の刺激を与える。
図１９は変調手段として音波を用いる構成例である。試料２に音波を与える構成として超音波振動子６７及びその駆動源６８を用い、超音波振動子６７による振動を試料部位に伝えて音波の刺激を与える。なお、音波を試料部位に伝達するために、試料表面に液体を付着させ、該液体に超音波振動子６７を接触させる構成とすることができる。
【００５７】
なお、前記した本発明の各形態例及び構成例では、薄膜等の試料に生じる分光パターンの変化の測定によって応力測定を行っているが、応力に限らず、試料の分光パターンを変化させるものであれば同様に適用可能であり、結晶欠陥を含む結晶特性などの、試料の内部状態の測定に適用することもできる。
【００５８】
【発明の効果】
以上説明したように、本発明の応力測定装置によれば、微小構造の応力を、高い空間分解能で測定することができる。
【図面の簡単な説明】
【図１】本発明の応力測定装置の第１の形態を説明するための概略図である。
【図２】本発明の応力測定装置の第２の形態を説明するための概略図である。
【図３】本発明の応力測定装置の第３の形態を説明するための概略図である。
【図４】反射スペクトルの波長シフトを説明するための概略図である。
【図５】本発明の第１の構成例を説明するための概略ブロック図である。
【図６】本発明の波長シフトを求める第１の処理を説明するための概略図である。
【図７】本発明の波長シフトを求める第２の処理を説明するための概略図である。
【図８】本発明の第２の構成例を説明するための概略ブロック図である。
【図９】本発明の第３の構成例を説明するための概略ブロック図である。
【図１０】本発明の第４の構成例を説明するための概略ブロック図である。
【図１１】本発明の第５の構成例を説明するための概略ブロック図である。
【図１２】本発明の波長シフトを求める処理を説明するための概略図である。
【図１３】本発明の波長シフトを求める処理を説明するための概略拡大図である。
【図１４】本発明の第６の構成例を説明するための概略ブロック図である。
【図１５】本発明の第７の構成例を説明するための概略ブロック図である。
【図１６】本発明の第８の構成例を説明するための概略ブロック図である。
【図１７】本発明の電界による変調手段を説明するための概略ブロック図である。
【図１８】本発明の光，熱による変調手段を説明するための概略ブロック図である。
【図１９】本発明の音波による変調手段を説明するための概略ブロック図である。
【符号の説明】
１…照射手段、２…試料、３…処理手段、４…検出器、５…演算装置、６…変調手段、７…ステージ、８…真空装置、１１，１５，１６…光源、１２，４２…モノクロメータ、１３，１５，４５…光学系、１４，４４…偏光板、１７…切り換え器、１８…時分割器、４１…光検出器、４６…フィルタ、５１…プリアンプ、５２…デジタルマルチメータ、５３…ロックインアンプ、５４…演算器、６１…電子線源、６２…ビームブランキングユニット、６３…信号発生器、６４…電極、６５…電源、６６…レーザー源、６７…超音波振動子、６８…駆動源。
【図１】
0003979611.tif 000002
【図２】
0003979611.tif 000003
【図３】
0003979611.tif 000004
【図４】
0003979611.tif 000005
【図５】
0003979611.tif 000006
【図６】
0003979611.tif 000007
【図７】
0003979611.tif 000008
【図８】
0003979611.tif 000009
【図９】
0003979611.tif 000010
【図１０】
0003979611.tif 000011
【図１１】
0003979611.tif 000012
【図１２】
0003979611.tif 000013
【図１３】
0003979611.tif 000014
【図１４】
0003979611.tif 000015
【図１５】
0003979611.tif 000016
【図１６】
0003979611.tif 000017
【図１７】
0003979611.tif 000018
【図１８】
0003979611.tif 000019
【図１９】
0003979611.tif 000020